(57)【要約】【課題】イオントフォレーシス用装置の構造を簡単かつ安価、小型化を容易にし、さらには携帯やイオン性薬剤含有層の交換の簡単なイオントフォレーシス用装置を得ることのできる、イオン性薬剤含有物構造。【解決手段】イオン交換膜からなる袋状物中に、イオン性薬剤（１０）を封入し、かつ袋状物の全周にわたり周縁部を密閉してなる袋状物。イオン交換膜からなる袋状物としては、熱可塑性樹脂を基材とするアニオン交換膜（１１）とカチオン交換膜（１２）とを張り合わせたものを用いることが好適であり、またその張り合わせの方法として、熱、高周波等によって基材樹脂を融着したものとすると、製造が簡単でかつ信頼性の高いものとすることができる。【選択図】  図２
2004202057.tif 000002
【特許請求の範囲】
【請求項１】
イオン交換膜からなる袋状物に、イオン性薬剤又はイオン性薬剤含有物質が封入されてなり、かつ該袋状物の周縁部がすべて密封されてなる、イオン性薬剤封入袋状物。
【請求項２】
イオン交換膜からなる袋状物が、アニオン交換膜とカチオン交換膜とを張り合わせてなる袋状物である請求項１記載のイオン性薬剤封入袋状物。
【請求項３】
アニオン交換膜とカチオン交換膜とを張り合わせてなる袋状物が、アニオン交換膜とカチオン交換膜とを融着により張り合わせたものである請求項２記載のイオン性薬剤封入袋状物。
【請求項４】
イオン性薬剤含有物質が、イオン性薬剤の溶液を含浸させたシート状又はフィルム状物質である請求項１〜３記載のイオン性薬剤封入袋状物。
【請求項５】
イオントフォレーシス用である請求項１〜４記載のイオン性薬剤封入袋状物。
【請求項６】
請求項１〜５記載のイオン性薬剤封入袋状物を用いる、イオントフォレーシス用装置。
【請求項７】
イオン交換膜からなる袋状物の周縁の密封を、融着により行うことを特徴とする請求項１〜５記載のイオン性薬剤封入袋状物の製造方法。
【請求項８】
熱可塑性樹脂を基材とする２枚のイオン交換膜の周縁部を、一部を残した状態で融着して接合させて一部が開口した袋状物を得、ついで該開口部からイオン性薬剤又はイオン性薬剤含有物質を袋状物に入れ、その後、袋状物の開口部を融着により接合して密封することを特徴とする、請求項１〜５記載のイオン性薬剤封入袋状物の製造方法。
【請求項９】
熱可塑性樹脂を基材とする２枚のイオン交換膜を、自己流動性を有しないイオン性薬剤含有物質を挟むように配置し、ついで上記２枚のイオン交換膜の周縁部を融着により接合せしめて密封することを特徴とする請求項１〜５記載のイオン性薬剤封入袋状物の製造方法。
【発明の詳細な説明】
【０００１】
【発明の属する技術分野】
本発明は、生体に有用なイオン性薬剤を電気泳動を利用して生体に浸透させるイオントフォレーシス（イオン浸透療法）において使用されるイオン性薬剤封入袋状物、および該袋状物を用いるイオントフォレーシス用装置に関する。
【０００２】
【従来の技術】
生体に有用なイオン性薬剤を電気泳動を利用して生体に浸透させるイオントフォレーシスは、イオン浸透療法、イオン導入法、などとも呼ばれ、無痛状態で所望の患部に所望量の薬剤を投与する方法として広く知られている。
【０００３】
従来、イオントフォレーシスにおいては、イオン性薬剤を含浸させた薬剤含有層を生体上に置き、薬剤層を挟んで生体と反対側に作用極を配し、薬剤含有層と離れた生体上に対極を置き、電源により作用極と対極の間に電流を流すことでイオン性の薬剤を生体に浸透させた。これまで、この方法においては、大型の装置が使用されるため病院などの特定の場所でのみ施法が可能であったが、必要な時間に必要な場所でのイオントフォレーシスを可能にするために、簡単でコンパクトな構造にして携帯を可能にしたイオントフォレーシス装置に関する検討も近年盛んである。
【０００４】
これらイオントフォレーシスにおいては、イオン性薬剤を、皮膚や粘膜などの生体界面を通して生体内に浸透させることを目的とする。ところが、このような電極においては、必ずしもイオン性薬剤が生体界面を通過するとは限らず、逆に、生体側からナトリウムカチオン、カリウムカチオン、塩化物アニオンなどが生体界面から薬剤含有層側に浸透する場合も少なくない。特に、生体に有用とされるイオン性薬剤は、上記のような生体内に存在するイオンに比べて移動度が小さいため、通電した電気量に対し目的とする薬剤の投与効率（生体への浸透効率）が低いという問題があった。そこで、薬剤含有層と生体界面の間に、目的とするイオン性薬剤と同符号のイオンを通過させるイオン交換膜を配し、上記問題点を解決することが提案されている（例えば、特許文献１、２）。
【０００５】
しかしながら、イオントフォレーシス用の装置においては、電流を流すために電極が配置されており、この電極部分において、イオン性薬剤が分解されてしまったり、あるいはイオン性薬剤の溶剤として用いられている水が電気分解してＨ＋イオンやＯＨ−イオンが生成して、これが生体に作用して炎症などを起こすといった問題があった。
【０００６】
これらの問題点を解決するために、薬剤含有層と電極の間にさらにイオン交換膜を配し、薬剤含有層に含まれるイオン性薬剤が電極と直接接しないようにしたり、あるいは電極で発生したＨ＋イオンやＯＨ−イオンが生体側に移動しないようにすることが提案されている（例えば、特許文献３〜８）。
【０００７】
このような複数のイオン交換膜を有す、従来のイオントフォレーシス用装置の代表的な作用極の構造を図１を用いて説明する。イオン性薬剤を含む薬剤含有層１は、外筒体２中に保持されており、その生体面３と接する側には、イオン性薬剤の薬効イオンと同符号のイオンを選択に透過するイオン交換膜４が設けられている。他方、生体面と接しない側には、イオン性薬剤の薬効イオンと反対符号のイオンを選択に透過するイオン交換膜５が配されており、さらに電解質層６、及び金、白金、銀、カーボンペーパー等からなる電極７が設けられている。これらイオン交換膜５、電解質層６、電極７は、内筒体８により外筒体２及びイオン性薬剤又はイオン性薬剤含有物質１と接触・保持せしめられている。このような作用極においては、使用後には、内筒体８を取り外し、新しい薬剤含有層１やイオン交換膜５等を充填しなおして用いることが提案されている。
【特許文献１】
特表平３−５０４３４３号公報
【特許文献２】
特開平８−９８８９４号公報
【特許文献３】
特開平４−２９７２７７号公報
【特許文献４】
特開２０００−２２９１２８号公報
【特許文献６】
特開２０００−２２９１２９号公報
【特許文献７】
特開２０００−２３７３２８号公報
【特許文献８】
特開２０００−２３７３２９号公報
【０００８】
【発明が解決しようとする課題】
しかしながら上述のような従来型の作用極では、２枚のイオン交換膜を薬剤含有層と接触・保持せしめるために複雑な構造となり、さらに外筒体２や内筒体８を構造体としているため、これらをある程度強度を有する材質で形成する必要があった。そのためこのような装置では、製造が煩雑となったりコストが高くなるという欠点があった。さらには、剛性材料を使用するために、生体表面への追随性に劣るという欠点もあった。また、輸送や保管の際に、薬剤含有層１が外部に漏れ出さないようにするためには、イオン交換膜５、電解質層６、電極７、内筒体８を全て設けておく必要があり、全体として大きく重くなり、輸送や保管の手間やコストがかかるという問題があった。また薬剤含有層を取り替えて再使用する場合にも、取り替える必要のない外筒体２や内筒体８をも輸送する必要があり、さらには、薬剤含有層を取り替える場合の手間も極めて煩雑であり、改善が求められている。
【０００９】
【課題を解決するための手段】
本発明者等は、上記課題を解決すべく鋭意検討を進めた結果、イオン性薬剤含有物質をイオン交換膜からなる袋状物に充填、密封したものを用いると、イオントフォレーシス装置が極めてシンプルになって携帯が可能となるだけでなく、輸送、保管の際に、イオントフォレーシス用装置を構成する他の構成要素とは別個のものとして輸送でき、またその製造や、あるいは作用極の再利用のための薬剤含有層の交換も極めて簡単になり、さらには他の構成要素として、皮膚表面形状に対して追随性の高い柔軟な材料を使用するのが容易となることを見出し本発明を完成した。
【００１０】
即ち本発明は、イオン交換膜からなる袋状物に、イオン性薬剤又はイオン性薬剤含有物質が封入されてなり、かつ該袋状物の周縁がすべて密封されてなる、イオン性薬剤封入袋状物である。
【００１１】
また他の発明は、上記イオン性薬剤封入袋状物の製造方法に関するものである。
【００１２】
【発明の実施の形態】
以下、本発明を代表的な実施形態を示す図面を参照して説明するが、本発明はこれらに限定されるものではない。なお、各図では、本発明を理解しやすくするために、サイズ比や角度が誇張されて記載された部分がある。
【００１３】
図２は代表的な本発明のイオン性薬剤封入袋状物の一態様を示す断面図、図３は斜視図、図４は平面図である。イオン性薬剤又はイオン性薬剤含有物質１０は、イオン交換膜１１とイオン交換膜１２とが張り合わされた袋状物中に存在しており、この袋状物の周縁部１３は全周にわたり、内部のイオン性薬剤又はイオン性薬剤含有物質が漏れ出してこないように密封されている。なお、図３と図４においては、本発明のイオン性薬剤封入袋状物は円形であるが、必要に応じて四角形や三角形等、他の形状であってもなんら構わない。
【００１４】
本発明のイオン性薬剤封入袋状物中に封入されるイオン性薬剤は正イオンと負イオンとからなるものであって、この正イオン又は負イオンが生体内に入ることにより薬理効果を発揮する物質であれば特に制限されるものではない。
【００１５】
このようなイオン性薬剤としては、正イオン側が効果を有するイオン性薬剤としては、塩酸プロカイン、塩酸リドカイン、塩酸ジブカインなどの麻酔剤、マイトマイシン、塩酸ブレオマイシンなどの抗悪性腫瘍剤、塩酸モルフィネなどの鎮痛剤、酢酸メドロキシプロゲステロンなどのステロイド類、ヒスタミンなどが挙げられ、一方、負イオン側が効果を発揮するイオン性薬剤としては、ビタミンＢ２、ビタミンＢ１２、ビタミンＣ、ビタミンＥ、葉酸などのビタミン剤、アスピリン、イブプロフェンなどの抗炎症剤、デキサメタゾン系水溶性製剤などの副腎皮質ホルモン、ベンジルペニシリンカリウムなどの抗生物質などが挙げられる。
【００１６】
これらイオン性薬剤はそのまま袋状物に封入しても構わないが、イオン化を容易にし、生体への浸透効率を上げるために、水やエタノール等の極性溶媒に溶解させた状態であるほうが好ましい。さらに、本発明の袋状物の製造を容易にし、また保管や輸送時の漏れ等を防ぐために、当該イオン性薬剤の溶液をできるだけ流動性の低い状態にしておくことが好ましい。イオン性薬剤溶液の流動性を下げる方法としては、イオントフォレーシス用薬剤における当該方法として公知の方法が何ら制限なく採用できる。例えば、ポリエチレングリコール、ポリプロピレングリコール、ポリビニルアルコール、ポリビニルピロリドン、ゼラチン等の親水性高分子やコロイダルシリカ等の微粒子充填剤などを添加してペースト状やゲル状にする方法が挙げられる。また、他の方法としては、紙や綿布等の親水性のシート状あるいはフィルム状物質にイオン性薬剤溶液を染み込ませる方法も好適に採用できる。
【００１７】
後述する、本発明のイオン性薬剤封入袋状物の製造において、その操作が極めて簡単な点で、ゲル状とするか、あるいは親水性のシート状あるいはフィルム状物質にイオン性薬剤溶液を染み込ませたものを、イオン交換膜からなる袋状物中に封入することが好ましく、親水性のシート状あるいはフィルム状物質に染み込ませたものを用いることが特に好適である。
【００１８】
当該親水性のシート状あるいはフィルム状物質（以下単にシート状物質とも称す）をより詳しく説明すると、前記した紙や綿布の他、絹布、麻布等の布類、吸水性の不織紙や不織布類、無機繊維からなる不織紙類、ポリエチレングリコールとポリプロピレングリコール共重合体のウレタン架橋体のような前記親水性高分子類の架橋体、さらには親水性の無機物からなる薄板や、親水性無機粒子をシート状に固めたものなどが挙げられる。入手が極めて容易かつ安価で、また自己保持性を有すことから製造が容易になる点で、紙又は不織紙であることが好ましく、さらには、生体に有害な不純物を殆ど含まないという点から、濾紙を用いることが特に好ましい。
【００１９】
イオン交換膜１１とイオン交換膜１２は各々同一の膜でも異なる膜でも良いが、イオントフォレーシス用装置に用いることを考慮すると、一方がアニオン交換膜で、他方がカチオン交換膜であることが特に好ましい。
【００２０】
これらイオン交換膜としては、公知の如何なるものを用いても良いが、周縁部を接合させて密封するのが容易な点で、熱可塑性樹脂を基材とするイオン交換膜が好ましく、特に熱可塑性樹脂からなる多孔質フィルムを基材としたイオン交換膜であることが好ましい。熱可塑性樹脂を基材とすることにより、２枚のイオン交換膜の周縁部の接合を融着によって行うことが可能となり、製造が容易となる。また多孔質フィルムは表面の平滑性が高いため、接合性がよく、さらには生体表面との密着性も高くなり、イオン性薬剤の浸透効率も高くなる。
【００２１】
該熱可塑性樹脂からなる多孔質フィルムとしては、イオン交換膜の電気抵抗を低くすることができ、しかも高い物理的強度を保つために、空隙率（気孔率とも呼ばれる）は２０〜９５％、特に３０〜９０％であるものが好ましく、透気度（ＪＩＳ  Ｐ−８１１７）は１０００秒以下、特に５００秒以下であるものが好ましい。また、その厚みは５〜１５０μｍが好ましく、１０〜１２０μｍがより好ましく、１０〜７０μｍであるのが特に好ましい。また高いメタノール非透過性を得るために、表面平滑性が粗さ指数で表して１０μｍ以下、さらには５μｍ以下であることが好ましい。また材質としてはポリエチレン、ポリプロピレン、ポリブテン等のポリオレフィン系樹脂や、ポリ塩化ビニル等の塩化ビニル系樹脂等の熱可塑性樹脂であればよいが、融着を容易にするため、ポリオレフィン系樹脂からなるものを用いるのが好ましく、特にポリプロピレン樹脂又はポリエチレン樹脂からなるものがさらに好ましい。
【００２２】
このような多孔質フィルムは、例えば特開平９−２１２９６４号公報、特開２００２−３３８７２１号公報等に記載の方法によって得ることもでき、具体的には、熱可塑性樹脂に対し有機液体を混合してシート若しくはフィルム状に成形した後に有機液体を溶剤によって抽出すること、或いは、前記熱可塑性樹脂に対し無機フィラー及び／又は有機フィラーを充填したシートを延伸することにより得ることができる。また、市販品（例えば、旭化成「ハイポア」、宇部興産「ユーポア」、東燃タピルス「セテラ」、日東電工「エクセポール」、三井化学「ハイレット」等）として入手することも可能である。
【００２３】
このような熱可塑性樹脂からなる多孔質フィルムを基材としたイオン交換膜を得る方法は特に制限されず公知の方法に従えばよく、例えば特開平１１−３３５４７３号公報、特開２００１−１３５３２８号公報等に記載の方法で製造できる。より具体的には、上記多孔質フィルムに、スチレン、α−メチルスチレン、ビニルナフタレン、クロロメチルスチレン、ビニルピリジン、ジビニルベンゼン等のイオン交換体の前駆体となるモノマーを含浸、重合後、スルホン化、アミノ化等の公知の官能基導入反応によりイオン交換基を導入することにより製造することができる。
【００２４】
イオントフォレーシス用に用いることを考慮すると、生体へのイオン性薬剤の浸透効率や、製造や保管の容易さの点で、イオン交換容量が０．１〜６．０ｍｍｏｌ／ｇ、好ましくは０．３〜４．０ｍｍｏｌ／ｇ、含水率が５〜９０％、好ましくは１０〜９０％程度、固定イオン濃度が６．０〜１５．０ｍｍｏｌ／ｇ−水、厚さが５〜１５０μｍ、好ましくは１０〜１３０μｍ、表面平滑性が粗さ指数で表して１０μｍ以下、好ましくは５μｍ以下のものを用いることが特に好ましい。
【００２５】
本発明のイオン性薬剤封入物の周縁部１３を密封する方法は特に制限されるものではなく、各種接着剤で接着する方法や、熱や振動、高周波により基材となる熱可塑性樹脂を融着させる方法、クリップ等により機械的に圧着密閉する方法等が採用でき、これらの方法を併用しても良い。製造が容易で、密封状態の保持性も高く、さらにはイオン性薬剤含有物に対する不純物混入の危険性も少ない点で、融着により接合、密封する方法が好ましい。融着の方法は特に制限されるものではなく、熱可塑性樹脂からなるフィルムを融着するために用いられる公知の如何なる方法でもよい。一般には、イオン交換膜の接合を望む部分に対して、イオン交換膜の基材となっている熱可塑性樹脂の溶融温度より０〜１００℃高い温度を付与できる材料を押当てたり、あるいは５０〜３００Ｈｚの振動や１０〜５０ｋＨｚの高周波を印加して融着すればよい。
【００２６】
本発明のイオン性薬剤封入袋状物を製造する方法は特に制限されず、如何なる方法によっても良い。例えば、一部が開口したイオン交換膜からなる袋状物を製造し、そこへイオン性薬剤含有物質を充填した後、該開口部をさらに接合密封する方法でも良いし、２枚のイオン交換膜でイオン性薬剤含有物質を挟んでおき、周縁部を一度に接合、密封する方法でも良い。
【００２７】
一部が開口したイオン交換膜からなる袋状物を製造し、そこへイオン性薬剤含有物質を充填した後、該開口部をさらに接合密封する方法の代表的な例をより詳しく説明すると、以下のようになる。即ち、図５に示すように、２枚のイオン交換膜１１と１２を重ね、イオン性薬剤又はイオン性薬剤含有物質が封入される部分１４、及び開口部１５を残して周縁部１３を熱融着等により接合する。ついで開口部１５を通して、イオン性薬剤又はイオン性薬剤含有物質を得られた袋状物中に導入し、その後、開口部１５の部分をさらに熱融着等で接合し、全体を密閉して密封された状態の袋状物とすればよい。また、前記図３、図４等で示したような、周縁部が円形の袋状物を得る場合や、その他の形状が望まれる場合には、周縁部の接合と同時に、あるいはイオン性薬剤又はイオン性薬剤含有物質を充填、密閉後に余計な部分を切断すればよい。また、イオン性薬剤又はイオン性薬剤含有物質が封入される部分１４や、最初に用いるイオン交換膜の形状も図５に示された形状に制限されるものではなく、必要に応じて適宜決定すればよい。また用いるイオン交換膜も、必ずしも２枚を張り合わせる必要はなく、図６に示すように、１枚のイオン交換膜を折り曲げたものを使用しても良い。
【００２８】
また、２枚のイオン交換膜でイオン性薬剤含有物質を挟んでおき、周縁部を一度に接合、密封する方法の代表的な例を説明すると以下のとおりである。図７に示すように、２枚のイオン交換膜１１及び１２の間に、イオン性薬剤含有物質１０が挟まれるように配置する。この際、イオン性薬剤含有物質１０としては、前記したようなペースト状あるいはゲル状にしたものや、親水性物質からなるシート状やフィルム状のものに含浸させたものなど、自己流動性のないもの、即ち、応力を付与しない場合には流動しないものを用いることにより、接合を予定する部分にはみ出す心配がなくなり製造が極めて容易となる。特に、ゲル状のものや親水性物質からなるシート状やフィルム状のものに含浸させたものなどの、自己形状保持性を有するものを用いると、位置決めも容易になりさらに好適である。
【００２９】
ついで、２枚のイオン交換膜１１と１２とを密着せしめ、さらにイオン性薬剤含有物質１０が密封されるように周縁部を融着等で接合すればよい。この場合にも、必要に応じてイオン交換膜の余計な部分を接合と同時、あるいは接合終了後に切断等で取り除き、外形を整えてもよい。また、用いるイオン交換膜１１及び１２、イオン性薬剤含有物質１０等の形状も必要に応じて適宜決定すればよい。
【００３０】
またその大きさも特に限定されるものではなく、目的や用途によって適宜決定すればよいが、一般には、直径もしくは一辺の長さが、０．５〜５０ｃｍ程度、厚さが４０〜２３００μｍ程度のものとすればよい。この場合には、イオン交換膜自体の厚さを前記したように５〜１５０μｍとし、イオン性薬剤又はイオン性薬剤含有物質層の厚さが３０〜２０００μｍとすればよい。また、密封のための周縁部の大きさも特に制限されるものではなく、容易に破断等して内部のイオン性薬剤又はイオン性薬剤含有物質が漏れ出してこない程度であれば良く、その密封方法等により適宜決定すればよい。熱可塑性樹脂の融着による密封方法を採用した場合には、一般には０．１〜５ｍｍ程度でよい。
【００３１】
このようにして得られる本発明のイオン性薬剤封入袋状物の用途は特に制限されるものではないが、イオントフォレーシス用として用いることが特に好適である。
【００３２】
イオントフォレーシス用として用いる際には、イオン交換膜からなる袋状物の少なくとも片面を、封入されているイオン性薬剤の薬効を有す側のイオンを透過させるイオン交換膜とし、好ましくは、その反対面をそれと逆極性のイオン交換膜とする。
【００３３】
図８に示すように、当該イオン性薬剤の薬効を有す側のイオンを透過させるイオン交換膜１６の側を、生体面３に接するようにし、反対面には電極７を配し、さらに該電極７は導電線９により、対極１７、電源部１８と電気的に結線しておき、該電源部１８から電圧を付与することにより、イオン性薬剤含有物質１０に含まれるイオン性薬剤の薬効イオンが生体内へと浸透していく。この場合、電極７や導電線９、対極１７、電源部１８等はイオントフォレーシスにおいて公知の材質や構造を採用すればよい。
【００３４】
また、図８に示されているように、イオン性薬剤封入袋状物におけるイオン交換膜１９と電極７との間に、電解質層２０を設けることも好適である。当該電解質層としては、塩化ナトリウム、塩化カリウム等の電解質の水溶液、又はこれら電解質水溶液に前記したような水溶性高分子を添加して、ペースト状やゲル状にしたもの、あるいは、電解質水溶液を親水性のシート状あるいはフィルム状物質に浸透させたものなどが挙げられる。
【００３５】
本発明のイオン性薬剤封入袋状物を用いたイオントフォレーシス用装置の使用例を、図９を用いてより詳しく説明する。図９においては、作用極の電極７と対極の電極２１が単一の外装材２２中に一体化して形成されている。当該外装材２２の材料としては、柔軟性の高い樹脂やゴムを用いることにより、皮膚形状に対する高い追随性が得られる。二つの電極７と２１とは、電源２３と電気的に結線されており、当該電源２３としては例えば、ボタン型電池等を採用することができる。外装材２２における電極７及び２１の直下には、電解質層２４と２５、及び本発明のイオン性薬剤封入袋状物２６を収納するための空間が設けられている。使用時には、イオン性薬剤封入袋状物２６及び電解質層２５が生体表面に密着するように固定することにより電流が流れ、イオン性薬剤封入袋状物２６中の薬効成分が生体内に浸透していく。なお、対極における電解質層のｐＨ変化を防ぎ、薬効イオンの生体からの染み出しを防ぐために、電解質層２５の直下にイオン交換膜や、イオン交換膜で塩化ナトリウムなどの電解質や電解質含有層を封入した袋状物を設けることも好適である。
【００３６】
イオン性薬剤封入袋状物２６中の薬効成分が全て消費されたり、あるいは異なる薬剤を投与したい場合には、イオントフォレーシス装置そのものを交換すれば良い。また、イオン性薬剤封入袋状物２６を取り外し、新しいものと交換することも可能である。この場合、必要に応じて電解質層２４と２５をも交換することができる。交換を容易にするために、当該電解質層は前記したようにペースト状やゲル状、あるいは濾紙等に染み込ませた電解質溶液の状態であることが好ましい。
【００３７】
イオントフォレーシス装置そのものを交換する場合には、例えば、イオン性薬剤封入袋状物２６が１回毎の使用量に合わせた量のイオン性薬剤を含むようにしておき、イオントフォレーシス装置を複数個携帯することで、また、イオン性薬剤封入袋状物を交換して使用する場合には、さらに電解質層をチューブ入りのペースト又はゲル状物として携帯することにより、薬剤の投与の必要な者が医師等の厳重な監視下になくとも、簡単に自らに薬剤投与することができ、在宅治療や、旅行等が容易となり極めて有益である。
【００３８】
【発明の効果】
本発明のイオン性薬剤封入袋状物は、それ自体がイオン性薬剤を内部に含有、保持しているため、従来型の装置で必要であったイオン交換膜やイオン性薬剤を保持するための構造体が不要となり、よってイオントフォレーシス用装置を極めて構造が簡単で、皮膚に対する追随性の高いものとすることができる。また、イオントフォレーシス装置の輸送や保管が極めて容易となる。さらには、所定量のイオン性薬剤の投与が終了した後の、薬剤の交換を極めて容易にすることができる。
【図面の簡単な説明】
【図１】従来型のイオントフォレーシス用装置の作用極の構成を示す模式図。
【図２】本発明のイオン性薬剤封入袋状物の断面模式図。
【図３】本発明のイオン性薬剤封入袋状物の斜視模式図
【図４】本発明のイオン性薬剤封入袋状物の平面模式図
【図５】本発明のイオン性薬剤封入袋状物の製造方法の一例を示す模式図。
【図６】本発明のイオン性薬剤封入袋状物の製造方法の一例を示す模式図。
【図７】本発明のイオン性薬剤封入袋状物の製造方法の一例を示す模式図。
【図８】本発明のイオン性薬剤封入袋状物を用いたイオントフォレーシス装置の概念図。
【図９】本発明のイオン性薬剤封入袋状物を用いたイオントフォレーシス装置の一例を示す模式図。
【符号の説明】
１：イオン性薬剤含有層
２：外筒体
３：生体面
４、５：イオン交換膜
６：電解質層
７：電極
８：内筒体
９：導電線
１０：イオン性薬剤又はイオン性薬剤含有物質
１１、１２：イオン交換膜
１３：周縁部
１４：イオン性薬剤又はイオン性薬剤含有物質封入部分
１５：開口部
１６：イオン性薬剤の薬効を有す側のイオンを透過させるイオン交換膜
１７：イオントフォレーシス用装置の対極
１８：電源部
１９：イオン性薬剤の薬効を有す側のイオンと逆符号のイオンを透過させるイオン交換膜
２０：電解質層
２１：対極における電極
２２：外装材
２３：電源
２４、２５：電解質層
２６：イオン性薬剤封入袋状物
【図１】
2004202057.tif 000003
【図２】
2004202057.tif 000004
【図３】
2004202057.tif 000005
【図４】
2004202057.tif 000006
【図５】
2004202057.tif 000007
【図６】
2004202057.tif 000008
【図７】
2004202057.tif 000009
【図８】
2004202057.tif 000010
【図９】
2004202057.tif 000011